(57)【特許請求の範囲】
【請求項１】
毛髪を第１の巻き付け芯に巻き付け、
前記第１の巻き付け芯に巻き付けられた毛髪の残りの部分を、前記毛髪がＳ字状となるように前記第１の巻き付け芯と外周面の１周の長さが異なる前記第２の巻き付け芯に巻き付け、
前記第１の巻き付け芯及び前記第２の巻き付け芯に巻き付けられた毛髪に形状保持処理を施し、
前記毛髪を、前記毛髪のカール径の小さい部分で該毛髪のカール径の大きい部分を支えるように、前記第１の巻き付け芯に巻き付けられた部分と前記第２の巻き付け芯に巻き付けられた部分との間で折り返す、
ことを特徴とするかつら用毛髪の製造方法。
【請求項２】
前記第１の巻き付け芯及び前記第２の巻き付け芯のうち外周面の１周の長さが短い方に巻き付けられた部分における毛髪の形状保持処理後のカール径は、外周面の１周の長さが長い方に巻き付けられた部分における毛髪の形状保持処理後のカール径よりも５〜８ｍｍ小さいことを特徴とする請求項１記載のかつら用毛髪の製造方法。
【請求項３】
前記第１の巻き付け芯及び前記第２の巻き付け芯のうち外周面の１周の長さが短い方に巻き付けられた部分における毛髪の形状保持処理後のカール径は、外周面の１周の長さが長い方に巻き付けられた部分における毛髪の形状保持処理後のカール径の０．５倍以上１倍未満であることを特徴とする請求項１又は請求項２記載のかつら用毛髪の製造方法。
【請求項４】
前記第１の巻き付け芯及び前記第２の巻き付け芯のうち外周面の１周の長さが短い方に巻き付けられた部分における毛髪の形状保持処理後のカール径は、外周面の１周の長さが長い方に巻き付けられた部分における毛髪の形状保持処理後のカール径の０．８〜０．９倍であることを特徴とする請求項１又は請求項２記載のかつら用毛髪の製造方法。
【請求項５】
前記形状保持処理は、加熱処理であることを特徴とする請求項１から請求項４のいずれか１項記載のかつら用毛髪の製造方法。
【請求項６】
請求項１から請求項５のいずれか１項記載のかつら用毛髪の製造方法により製造された毛髪を、前記折り返し部分においてかつらベースに植設することを特徴とするかつらの製造方法。
【発明の詳細な説明】
【技術分野】
【０００１】
本発明は、かつらのかつらベースに植設されるかつら用毛髪の製造方法と、かつらの製造方法とに関する。
【背景技術】
【０００２】
従来、毛髪の立ち上がりによってかつらにボリューム感を生じさせるため、長毛と短毛とを混在させたかつらが知られている（例えば、特許文献１参照）。このような短毛と長毛とを混在させたかつらにおいて、短毛のカール径を長毛のカール径よりも小さくする手法も知られている（例えば、特許文献１参照）。
【０００３】
また、かつらの外観を自然とするべく、毛髪の折り返し部分を長さ方向の中央からずらし、折り返し部分において毛髪をかつらベースに植設することで、１本の毛髪において折り返し部分を挟んだ両側を異なる長さとしたかつらも知られている（例えば、特許文献２参照）。
【０００４】
なお、毛髪にカールを付与したかつらとしては、毛髪を二つ折りに折り返して、折り返し部分を挟んだ両側が同一方向に向くようにかつらベースに結着するかつらの製造方法も知られている（例えば、特許文献３参照）。
【先行技術文献】
【特許文献】
【０００５】
【特許文献１】特開２００６−１８３２１４号公報
【特許文献２】特開２００７−３１８５４号公報
【特許文献３】特許第４７５６６９４号公報
【発明の概要】
【発明が解決しようとする課題】
【０００６】
しかしながら、上記のように長毛と短毛とを混在させたかつらにおいては、長毛と短毛とが別の毛髪であるため、短毛がうまく長毛を支えることができない。そのため、かつらにボリューム感がなく、かつらの外観が自然にはならない。このように短毛がうまく長毛を支えることができないのは、かつらベースにおける毛髪の密度が低い場合に特に顕著になる。
【０００７】
また、上記のように毛髪の折り返し部分を中央からずらし、折り返し部分において毛髪をかつらベースに植設する手法は、毛髪の折り返し部分を挟んで短い側が長い側を支えるものではない。そのため、かつらにボリューム感がなく、かつらの外観が自然にはならない。
【０００８】
本発明の目的は、かつらの外観を自然にすることができるかつら用毛髪の製造方法及びかつらの製造方法を提供することである。
【課題を解決するための手段】
【０００９】
本発明のかつら用毛髪の製造方法は、毛髪を第１の巻き付け芯に巻き付け、上記第１の巻き付け芯に巻き付けられた毛髪の残りの部分を、上記第１の巻き付け芯と外周面の１周の長さが異なる上記第２の巻き付け芯に巻き付け、上記第１の巻き付け芯及び上記第２の巻き付け芯に巻き付けられた毛髪に形状保持処理を施し、上記毛髪を、上記第１の巻き付け芯に巻き付けられた部分と上記第２の巻き付け芯に巻き付けられた部分との間で折り返すようにする。
【００１０】
また、上記かつら用毛髪の製造方法において、上記第１の巻き付け芯及び上記第２の巻き付け芯のうち外周面の１周の長さが短い方に巻き付けられた部分における毛髪の形状保持処理後のカール径は、外周面の１周の長さが長い方に巻き付けられた部分における毛髪の形状保持処理後のカール径よりも５〜８ｍｍ小さいようにするとよい。
【００１１】
また、上記かつら用毛髪の製造方法において、上記第１の巻き付け芯及び上記第２の巻き付け芯のうち外周面の１周の長さが短い方に巻き付けられた部分における毛髪の形状保持処理後のカール径は、外周面の１周の長さが長い方に巻き付けられた部分における毛髪の形状保持処理後のカール径の０．５倍以上１倍未満であるようにするとよい。
【００１２】
また、上記かつら用毛髪の製造方法において、上記第１の巻き付け芯及び上記第２の巻き付け芯のうち外周面の１周の長さが短い方に巻き付けられた部分における毛髪の形状保持処理後のカール径は、外周面の１周の長さが長い方に巻き付けられた部分における毛髪の形状保持処理後のカール径の０．８〜０．９倍であるようにするとよい。
【００１３】
また、上記かつら用毛髪の製造方法において、上記形状保持処理は、加熱処理であるようにするとよい。
【００１４】
本発明のかつらの製造方法は、上記いずれかのかつら用毛髪の製造方法により製造された毛髪を、上記折り返し部分においてかつらベースに植設する。
【発明の効果】
【００１５】
本発明によれば、かつら用毛髪の製造方法及びかつらの製造方法において、かつらの外観を自然にすることができる。
【図面の簡単な説明】
【００１６】
【図１】本発明の一実施の形態に係るかつら用毛髪の製造方法を説明するための斜視図である。
【図２】本発明の一実施の形態に係るかつら用毛髪の製造方法を説明するための正面図である。
【図３】本発明の一実施の形態に係るかつら用毛髪の製造方法により製造されたかつら用毛髪を示す図である。
【図４】本発明の一実施の形態に係るかつらの製造方法により製造されるかつらを示す斜視図である。
【図５】本発明の一実施の形態に係るかつらの製造方法により製造されるかつらを示す斜視図である。
【発明を実施するための形態】
【００１７】
以下、本発明の実施の形態に係るかつら用毛髪の製造方法及びかつらの製造方法について、図面を参照しながら説明する。
【００１８】
図１及び図２は、本発明の一実施の形態に係るかつら用毛髪の製造方法を説明するための斜視図及び正面図である。
【００１９】
図１及び図２に示す第１の巻き付け芯１１及び第２の巻き付け芯は、円筒形状を呈する。但し、第１の巻き付け芯１１及び第２の巻き付け芯の形状は、円柱形状や、楕円柱形状、多角柱形状などの他の形状であってもよい。
【００２０】
第１の巻き付け芯１１の直径（断面楕円形状の場合には長辺，断面多角形状の場合には最大となる部分の幅）Ｄ１は、第２の巻き付け芯１２の直径（断面楕円形状の場合には長辺，断面多角形状の場合には最大となる部分の幅）Ｄ２より小さい。そのため、第１の巻き付け芯１１の外周面１１ａの１周の長さ（Ｄ１×πｍｍ）は、第２の巻き付け芯１２の外周面１２ａの１周の長さ（Ｄ２×πｍｍ）よりも短い。なお、第１の巻き付け芯１１の直径Ｄ１は、例えば３２〜３５ｍｍであり、第２の巻き付け芯Ｄ２の直径は、例えば４０ｍｍである。
【００２１】
毛髪２（人工毛髪又は人毛）から、かつらに植設されるかつら用毛髪を製造する場合には、まず、毛髪２が第１の巻き付け芯１１に巻き付けられる。この際、複数本の毛髪２を同時に第１の巻き付け芯１１に巻き付けて、複数本の毛髪２について以下の工程を行うようにするとよいが、以下の説明では１本の毛髪２に着目して説明する。
【００２２】
次に、第１の巻き付け芯１１に巻き付けられた毛髪２の残りの部分は、毛髪２がＳ字状となるように、第２の巻き付け芯１２に巻き付けられる。
【００２３】
毛髪２を第１の巻き付け芯１１及び第２の巻き付け芯１２に巻き付けるときには、毛髪２が緩まないように毛髪２が張った状態で行うとよい。また、毛髪２を第１の巻き付け芯１１及び第２の巻き付け芯１２に巻き付けるときには、毛髪２がＳ字状ではなくＢ字状となるように、毛髪２を第１の巻き付け芯１１に巻き付けた後、図２とは反対方向（反時計回り）に毛髪２を第２の巻き付け芯１２に巻き付けるとよい。また、毛髪２を第１の巻き付け芯１１及び第２の巻き付け芯１２に巻き付けるときには、毛髪２は、ドライ状態でもよいが、ウェット状態（例えば、若干湿り気を含ませた状態）の方が確実に巻き付けることが可能となる。なお、毛髪２は、第１の巻き付け芯１１及び第２の巻き付け芯１２の外周面１１ａ，１２ａにそれぞれ１周未満巻き付けられるが、１周以上巻き付けるようにしてもよい。
【００２４】
第１の巻き付け芯１１及び第２の巻き付け芯１２に巻き付けられた毛髪２は、形状保持処理が施されることによって、一定形状に保持される。形状保持処理を行うときには、毛髪２が第１の巻き付け芯１１及び第２の巻き付け芯１２に巻き付けられた状態で位置決めされるようにするとよい。
【００２５】
形状保持処理としては、例えば、加熱処理、パーマ液や保護剤などの薬剤による処理が挙げられる。加熱処理を行う場合には、例えば、カールペーパー、布などによって、毛髪２、第１の巻き付け芯１１、及び第２の巻き付け芯１２を覆うとよい。
【００２６】
なお、毛髪２を上記のドライ状態としている場合には、加熱処理で毛髪２、第１の巻き付け芯１１、及び第２の巻き付け芯１２を覆うカールペーパーや布に水分を含ませてもよい。
【００２７】
加熱処理の温度は、毛髪２が人毛であるときには８０℃〜１２０℃程度の温度でスチーム処理を併用することが望ましい。また、加熱処理の温度は、毛髪２が人工毛髪（合成繊維）であるときには、塩化ビニル系繊維なら８０℃〜１００℃程度、アクリル系繊維なら９０℃〜１００℃程度、ポリエステル系繊維なら１００℃〜１６０℃程度とすることが望ましい。また、加熱処理を行う場合、第１の巻き付け芯１１及び第２の巻き付け芯１２は、伝熱性の良好な材料からなることが望ましい。
【００２８】
次に、毛髪２は、第１の巻き付け芯１１に巻き付けられた部分と第２の巻き付け芯１２に巻き付けられた部分との間で折り返される。これにより、図３に示すように、毛髪２の折り返し部分２ａを挟んだ両側２ｂ，２ｃが同方向又は略同方向に向けられる。なお、毛髪２の折り返し部分２ａは、長さ方向の中央としても両端の一方側にずれた位置としてもよい。
【００２９】
毛髪２を折り返す作業は、例えば、線状の部材を使って素手で行うことができる。また、毛髪２を第１の巻き付け芯１１に巻き付けられた部分と第２の巻き付け芯１２に巻き付けられた部分との間で折り返した後にも、上述の加熱処理などの形状保持処理を行ってもよい。
【００３０】
なお、図３に示す毛髪２のカール径Ｄ１１，Ｄ１２は、第１の巻き付け芯１１及び第２の巻き付け芯１２に巻き付けられた状態の形状保持処理を経ることで、第１の巻き付け芯１１及び第２の巻き付け芯１２に巻き付けられていたときのカール径（すなわち、第１の巻き付け芯１１及び第２の巻き付け芯１２の直径Ｄ１，Ｄ２）よりも大きくなることがある。
【００３１】
第１の巻き付け芯１１及び第２の巻き付け芯１２のうち外周面１１ａ，１２ａの１周の長さが短い方（本実施の形態では、第１の巻き付け芯１１）に巻き付けられた部分における毛髪２の形状保持処理後のカール径Ｄ１１は、外周面１１ａ，１２ａの１周の長さが長い方（本実施の形態では、第２の巻き付け芯１２）に巻き付けられた部分における毛髪２の形状保持処理後のカール径Ｄ１２よりも５〜８ｍｍ小さくするとよい。
【００３２】
このようにすることで、カール径Ｄ１１が小さい部分２ｃが、カール径Ｄ１２が大きい部分２ｃを支えて毛髪２、ひいてはかつら１にボリューム感を生じさせられることがわかった。
【００３３】
また、かつら１にボリューム感を生じさせる上では、小径のカール径Ｄ１１が大径のカール径Ｄ１２の０．５倍以上１倍未満であることが好ましいことがわかった。更には、小径のカール径Ｄ１１が大径のカール径Ｄ１２の０．８〜０．９倍であることがより好ましいこともわかった。
【００３４】
上述のように製造されたかつら用毛髪（毛髪２）は、図４に示すかつらベース３に植設される。毛髪２をかつらベース３に植設する際には、カールによって所望の髪型が構成されるように、毛髪２の向きが決定されるとよい。図５は、例えば、髪型が真ん中分けとなる場合の正面視であり、かつらベース３の右側の部分の毛髪２のカールが右側に向けられ、左側の部分の毛髪２のカールが左側に向けられる。
【００３５】
以上により、かつら１が製造される。なお、毛髪２をかつらベース３に植設するときには、毛髪２は、例えばネット状のかつらベース３に結着されるが、かつらベース３は、人工皮膚などの面状の部材であってもよい。また、植設方法としては、結着ではなく接着であってもよい。
【００３６】
以上説明した本実施の形態のかつら用毛髪の製造方法は、毛髪２を第１の巻き付け芯１１に巻き付ける工程と、第１の巻き付け芯１１に巻き付けられた毛髪２の残りの部分を、第１の巻き付け芯１１と外周面１１ａ，１２ａの１周の長さが異なる第２の巻き付け芯１２に巻き付ける工程と、を含む。
【００３７】
更には、本実施の形態のかつら用毛髪の製造方法は、第１の巻き付け芯１１及び第２の巻き付け芯１２に巻き付けられた毛髪２に形状保持処理を施す工程と、毛髪２を、第１の巻き付け芯１１に巻き付けられた部分２ｂと第２の巻き付け芯１２に巻き付けられた部分２ｃとの間で折り返す工程と、を含む。
【００３８】
そのため、単一の毛髪２のカール径Ｄ１１の小さい部分２ｂでカール径Ｄ１２の大きい部分２ｃを支えることができる。したがって、毛髪２、ひいてはかつら１にボリューム感を生じさせることができる。よって、本実施の形態によれば、かつら１の外観を自然にすることができる。これにより、かつらベース３において毛髪２の密度が高くない場合でも、かつら１にボリューム感を生じさせることができるため、毛髪２の密度を高めるために毛髪２の本数を増やすのを回避することもできる。また、かつらベース３において毛髪２の密度が高い場合には、ボリューム感をより確実に生じさせることができる。
【００３９】
また、本実施の形態では、第１の巻き付け芯１１及び第２の巻き付け芯１２のうち外周面１１ａの１周の長さが短い方（第１の巻き付け芯１１）に巻き付けられた部分２ｂにおける毛髪２の形状保持処理後のカール径Ｄ１１は、外周面１２ａの１周の長さが長い方（第２の巻き付け芯１２）に巻き付けられた部分２ｃにおける毛髪２の形状保持処理後のカール径Ｄ１２よりも５〜８ｍｍ小さくすることがある。
【００４０】
そのため、かつら１にボリューム感をより確実に生じさせることができる。したがって、かつら１の外観をより自然にすることができる。
【００４１】
また、本実施の形態では、第１の巻き付け芯１１及び第２の巻き付け芯１２のうち外周面１１ａの１周の長さが短い方（第１の巻き付け芯１１）に巻き付けられた部分２ｂにおける毛髪２の形状保持処理後のカール径Ｄ１１は、外周面１２ａの１周の長さが長い方（第２の巻き付け芯１２）に巻き付けられた部分２ｃにおける毛髪２の形状保持処理後のカール径Ｄ１２の０．５倍以上１倍未満とすることがある。その場合、かつら１にボリューム感をより確実に生じさせることができる。したがって、かつら１の外観をより自然にすることができる。
【００４２】
また、本実施の形態では、第１の巻き付け芯１１及び第２の巻き付け芯１２のうち外周面１１ａの１周の長さが短い方（第１の巻き付け芯１１）に巻き付けられた部分２ｂにおける毛髪２の形状保持処理後のカール径Ｄ１１は、外周面１２ａの１周の長さが長い方（第２の巻き付け芯１２）に巻き付けられた部分２ｃにおける毛髪２の形状保持処理後のカール径Ｄ１２の０．８〜０．９倍とすることがある。その場合、かつら１にボリューム感をより一層確実に生じさせることができる。したがって、かつら１の外観をより一層自然にすることができる。
【００４３】
また、本実施の形態のかつら用毛髪の製造方法では、形状保持処理は、加熱処理である。そのため、パーマ液などの薬剤を用いるよりも簡単な作業でかつら１の外観を自然にすることができる。
【００４４】
なお、本実施の形態では、毛髪２を、先に、小径（直径Ｄ１）の第１の巻き付け芯１１に巻き付け、その後、大径（直径Ｄ２）の第２の巻き付け芯１２に巻き付ける例を説明したが、先に大径の第２の巻き付け芯１２に巻き付けるようにしてもよい。また、毛髪２を第１の巻き付け芯１１と第２の巻き付け芯１２とに同時に巻き付けるようにしてもよい。
【符号の説明】
【００４５】
１      かつら
２      毛髪
２ａ      折り返し部分
２ｂ      第１の巻き付け芯に巻き付けられた部分
２ｃ      第２の巻き付け芯に巻き付けられた部分
３      かつらベース
１１      第１の巻き付け芯
１１ａ      外周面
１２      第２の巻き付け芯
１２ａ      外周面
【図１】
0005941693.tif 000002
【図２】
0005941693.tif 000003
【図３】
0005941693.tif 000004
【図４】
0005941693.tif 000005
【図５】
0005941693.tif 000006